(57)【要約】【課題】フロントガラスの表面に付着した霜や雪などを手を用いたり、お湯をかけるといったことなく、容易に除去できるようにする。【解決手段】ワイパー装置２を車両のウィンドガラスの表面に沿って往復移動させる駆動モータ１２と、この駆動モータ１２によって往復移動されるワイパー装置２の移動幅を大幅な第１の移動幅とこの第１の移動幅よりも小幅な第２の移動幅に切り換える制御装置１１とを具備する。【選択図】　　図２
2004017843.tif 000002
【特許請求の範囲】
【請求項１】
ワイパーを車両のウィンドガラス面に沿って往復移動させる往復動工程と、
前記ワイパーの往復移動幅を大幅な第１の移動幅とこの第１の移動幅よりも小幅な第２の移動幅に切り換える切換工程と、
を具備することを特徴とする車両用ワイパーの駆動制御方法。
【請求項２】
ワイパーを車両のウィンドガラス面に沿って往復移動させる往復動工程と、
前記ワイパーの往復移動幅を大幅な第１の移動幅とこの第１の移動幅よりも小幅な第２の移動幅に切り換える切換工程と、
前記ワイパーが前記第２の移動幅で所定回数往復移動した後は、隣接するエリアに順次移動して前記第２の移動幅で往復移動する移動工程と、
を具備することを特徴とする車両用ワイパーの駆動制御方法。
【請求項３】
ワイパーを車両のウィンドガラス面に沿って往復移動させる往復動工程と、
前記ワイパーの往復移動幅を大幅な第１の移動幅とこの第１の移動幅よりも小幅な第２の移動幅に切り換える切換工程と、
前記ワイパーとウィンドガラスとの接触部近傍に温風を吹付ける吹付工程と、
を備えたことを特徴とする車両用ワイパーの駆動制御方法。
【請求項４】
ワイパーを車両のウィンドガラス面に沿って往復移動させる往復動工程と、
前記ワイパーの往復移動幅を大幅な第１の移動幅とこの第１の移動幅よりも小幅な第２の移動幅に切り換える切換工程と、
前記ワイパーが前記第２の移動幅で所定回数往復移動した後は、隣接するエリアに順次移動して前記第２の移動幅で往復移動する移動工程と、
前記ワイパーが隣接するエリアに順次移動する毎に、前記温風の吹出方向を可変して前記ワイパーとウィンドガラスとの接触部近傍に温風を吹付ける吹付工程と、
を具備することを特徴とする車両用ワイパーの駆動制御方法。
【請求項５】
前記ワイパーの第２の移動幅での往復移動時において、その往復速度を最初遅くして次第に早めることを特徴とする請求項１乃至４の何れか一項に記載の車両用ワイパーの駆動制御方法。
【請求項６】
ワイパーを車両のウィンドガラス面に沿って往復移動させる駆動手段と、
この駆動手段によって往復移動される前記ワイパーの移動幅を大幅な第１の移動幅とこの第１の移動幅よりも小幅な第２の移動幅に切り換える制御手段と、
を具備することを特徴とする車両用ワイパーの駆動制御装置。
【請求項７】
ワイパーを車両のウィンドガラス面に沿って往復移動させる駆動手段と、
この駆動手段によって往復移動される前記ワイパーの移動幅を大幅な第１の移動幅とこの第１の移動幅よりも小幅な第２の移動幅に切り換え、前記ワイパーが前記第２の移動幅で所定回数往復移動した後は、隣接するエリアに順次移動させて前記第２の移動幅で往復移動させる制御手段と、
を具備することを特徴とする車両用ワイパーの駆動制御装置。
【発明の詳細な説明】
【０００１】
【発明の属する技術分野】
本発明は、例えば、乗用車やトラック等の車両に装備されるワイパーの駆動を制御する車両用ワイパーの駆動制御方法及び駆動制御装置に関する。
【０００２】
【従来の技術】
乗用車やトラック等の車両に装備されるワイパーは降雨時等には左右に広角度で往復移動され、これにより、フロントガラス表面上の雨を除去して良好な視界を得るようにしている。
【０００３】
【発明が解決しようとする課題】
しかしながら、従来におけるワイパーは降雨時の雨を除去するために装備され、その他の機能は特に備わっていない。従って、冬季に車を運転する際に、フロントガラスに雪や霜などが付着していると、ワイパーでは除去することができないことが多い。このため、従来においては、手を用いたり、或いは、お湯をかける等して雪や霜などを除去しており、これらの除去作業は寒い野外では手間取るものとなっていた。
【０００４】
そこで、本発明は手を用いたり、お湯をかけるといったことなく、雪や霜等を容易にウィンドガラス表面から除去できるようにした車両用ワイパーの駆動制御方法及び駆動制御装置を提供することを目的としている。
【０００５】
【課題を解決するための手段】
本発明は上記課題を解決するため、請求項１記載の発明は、ワイパーを車両のウィンドガラス面に沿って往復移動させる往復動工程と、前記ワイパーの往復移動幅を大幅な第１の移動幅とこの第１の移動幅よりも小幅な第２の移動幅に切り換える切換工程とを具備する。
【０００６】
請求項２記載の発明は、ワイパーを車両のウィンドガラス面に沿って往復移動させる往復動工程と、前記ワイパーの往復移動幅を大幅な第１の移動幅とこの第１の移動幅よりも小幅な第２の移動幅に切り換える切換工程と、前記ワイパーが前記第２の移動幅で所定回数往復移動した後は、隣接するエリアに順次移動して前記第２の移動幅で往復移動する移動工程とを具備する。
【０００７】
請求項３記載の発明は、ワイパーを車両のウィンドガラス面に沿って往復移動させる往復動工程と、前記ワイパーの往復移動幅を大幅な第１の移動幅とこの第１の移動幅よりも小幅な第２の移動幅に切り換える切換工程と、前記ワイパーとウィンドガラスとの接触部近傍に温風を吹付ける吹付工程とを備える。
【０００８】
請求項４記載のものは、ワイパーを車両のウィンドガラス面に沿って往復移動させる往復動工程と、前記ワイパーの往復移動幅を大幅な第１の移動幅とこの第１の移動幅よりも小幅な第２の移動幅に切り換える切換工程と、前記ワイパーが前記第２の移動幅で所定回数往復移動した後は、隣接するエリアに順次移動して前記第２の移動幅で往復移動する移動工程と、前記ワイパーが隣接するエリアに順次移動する毎に、前記温風の吹出方向を可変して前記ワイパーとウィンドガラスとの接触部近傍に温風を吹付ける吹付工程とを具備する。
【０００９】
請求項６記載の発明は、ワイパーを車両のウィンドガラス面に沿って往復移動させる駆動手段と、この駆動手段によって往復移動される前記ワイパーの移動幅を大幅な第１の移動幅とこの第１の移動幅よりも小幅な第２の移動幅に切り換える制御手段とを具備する。
【００１０】
請求項７記載の発明は、ワイパーを車両のウィンドガラス面に沿って往復移動させる駆動手段と、この駆動手段によって往復移動される前記ワイパーの移動幅を大幅な第１の移動幅とこの第１の移動幅よりも小幅な第２の移動幅に切り換え、前記ワイパーが前記第２の移動幅で所定回数往復移動した後は、隣接するエリアに順次移動させて前記第２の移動幅で往復移動させる制御手段とを具備する。
【００１１】
【発明の実施の形態】
以下、本発明を図面に示す実施の形態を参照して詳細に説明する。
【００１２】
図１は本発明の一実施の形態である乗用車等のウィンドガラスとしてのフロントガラス１に備えられるワイパー装置２を示す正面図である。
【００１３】
ワイパー装置２は左右一対のワイパー３，４を備えている。ワイパー３，４は基端部が回動自在に支持された回動バー５と、この回動バー５の先端部に取付けられたブレード６とによって構成されている。
【００１４】
回動バー５の基端部には正逆回転する駆動モータ１２（図２に示す）が接続され、この駆動モータ１２の正逆回転により回動バー５が正逆方向に回動してブレード６が図３に示すように往復移動されるようになっている。この往復移動によりブレード６がフロントガラス１の表面に沿って摺動し、フロントガラス１の表面上に降り注いだ雨等が除去されるようになっている。
【００１５】
また、車内のダッシュボード７の上面部には後述する温風装置１３から送風される温風を吹き出すための吹出口８，８が設けられ、この吹出口８，８には温風の吹出方向を可変する風向可変機構（図示しない）が設けられている。
【００１６】
図２はワイパー装置２の駆動制御系を示すブロック図である。
【００１７】
図中１０はワイパー装置２の使用時に操作される切換スイッチで、この切換スイッチ１０には送信回路を介して制御手段としての制御装置１１が接続されている。制御装置１１には制御回路を介して駆動手段としての駆動モータ１２が接続されているとともに、温風装置１３が接続されている。
【００１８】
制御装置１１は切換スイッチ１０の切換操作に基づいて駆動モータ１２の動作を制御することにより、ワイパー３，４を図３に示すように広角度（大幅な第１の移動幅Ｈ１，Ｈ２）で往復動させ、或いは、図４〜図７に示すように鋭角度（小幅な第２の移動幅ｈ）で往復動させるようになっている。
【００１９】
即ち、制御装置１１は雨天時等にはワイパー３，４を広角度で往復動させてフロントガラス１の表面上の雨を除去させ、また、冬季にはワイパー３，４を鋭角度で往復動させてフロントガラス１の表面上の霜や雪を除去させるようになっている。
【００２０】
また、制御装置１１はワイパー３，４を鋭角度で所定回数往復動させたのちは、順次隣のエリア（後述するエリアａからエリアｂ，ｃ，ｄ）に移動させてそのエリア内で鋭角度で所定回数往復動させるようになっている。
【００２１】
さらに、制御装置１１はワイパー３，４が鋭角度で所定回数往復動させる際においては、その開始初期には往復動のスピードを遅くして徐々にスピードを早めるようになっている。
【００２２】
一方、制御装置１１はワイパー３，４が上記したように鋭角度で所定回数往復動する際には、温風装置１３を動作させて吹出口１３ａ，１３ａから温風を吹き出させるようになっている。この温風は風向可変機構の動作によりワイパー３，４とフロントガラス部１との接触部に吹付けられる。
【００２３】
また、温風装置１３の風向可変機構はワイパー３，４が鋭角度で所定回数往復動されたのち、隣のエリアに移動されることに基づいて温風の吹出方向を変化させてワイパー３，４とフロントガラス１との接触部に温風をスポット的に送風できるようになっている。
【００２４】
次に、ワイパー装置２の動作について図３から図７に基づいて説明する。
【００２５】
まず、フロントガラス１における雨の除去動作について説明する。この場合にはワイパーの切換スイッチ１０を操作して（切換工程）、雨除去用の操作信号を制御装置１１に送信する。これにより、駆動モータ１２が正逆回転して図３に示すようにワイパー３，４を広角度Ｈ１，Ｈ２で往復移動させて（往復動工程）、雨を除去する。
【００２６】
つぎに、フロントガラス１における霜（或いは雪）の除去動作について説明する。この場合にはワイパーの切換スイッチ１０を操作して（切換工程）、霜（或いは雪）除去用の操作信号を制御装置１１に送信する。これにより、駆動モータ１２が正逆回転して図４に示すようにワイパー３，４をフロントガラス１上の第１のエリアａ内で鋭角度（小幅）ｈで往復動させて（往復動工程）、第１のエリアａ内の霜（或いは雪）を除去する。このとき、ワイパー３，４の移動速度はその移動開始初期には遅く、霜などの付着力が緩むに従って次第に移動速度が早められる。そして、ワイパー３，４が第１のエリアａ内で所定回数往復移動すると、図５に示すようにワイパー３，４は隣接する上部側の第２のエリアｂに移動して（移動工程）、この第２のエリアｂ内で鋭角度（小幅）ｈで往復移動し（往復動工程）、この第２のエリアｂ内の霜（或いは雪）を除去する。
【００２７】
以後、順次同様にしてワイパー３，４を図６に示すように第３のエリアｃ、図７に示すように第４のエリアｄ内に移動させて鋭角度（小幅）ｈで往復移動させて霜（或いは雪）の除去動作を継続する。
【００２８】
一方、上記した霜（或いは雪）の除去動作時には、制御装置１１によって温風装置１３が動作される。この温風装置１３の動作により温風が吹出口８，８から吹き出され、この温風はワイパー３，４とフロントガラス部１との接触部に吹付けられる。この吹出口８，８から吹き出される温風はワイパー３，４が第１のエリアａから隣接する第２乃至第４のエリアｂ，ｃ，ｄに移動する毎に風向可変機構により吹出方法が可変され、ワイパー３，４とフロントガラス１との接触部にスポット的に温風が吹き付けられる。この温風の吹付けにより、霜（或いは雪）が暖められて柔らかくなりワイパー３，４の往復動により容易に除去されることになる。
【００２９】
なお、ガラス面が凍結している場合は、ワイパーを作動させる前に一定時間温風を吹付けて凍結が緩んでからワイパーを動作させてもよい。
【００３０】
上述したように、ワイパー３，４をフロントガラス１の表面上の各エリアａ〜ｄ内で鋭角度（小幅）で所定回数往復動させて霜（或いは雪）を除去するため、従来のように、寒い野外で、手によって、或いは、お湯をかけて霜や雪等を除去する必要がなく、除去作業が著しく容易になる。
【００３１】
また、外気温度が低温で、霜（或いは雪）を除去しずらいときには、温風をワイパー３，４とフロントガラス１の接触部に送風するため、霜（或いは雪）のガラス１に対する付着力を弱めることができ、除去作業が容易になる。
【００３２】
また、ワイパーの往復回数やワイパーの動作スピードを調整することが可能な調整ダイヤルを具備してもよい。
【００３３】
なお、本発明は前記実施の形態に限定されるものではなく、本発明の要旨を逸脱しない範囲で種々変形実施可能であるのは勿論である。
【００３４】
【発明の効果】
本発明は以上説明したように、ワイパーの往復移動幅を大幅な第１の移動幅とこの第１の移動幅よりも小幅な第２の移動幅に切り換え可能とするため、第１の移動幅にすることによりウィンドガラス面上の雨等の除去が可能であるとともに、第２の移動幅に切り換えることによりウィンドガラス面上の霜や雪等の除去も可能となる。
【００３５】
従って、従来のように、冬季に車を運転するときに寒い野外で手によって、或いは、お湯をかけて霜や雪等を除去するといった必要がなく、除去作業が容易になる。
【００３６】
また、外気温度が低温で、霜（或いは雪）を除去しずらいときには、温風をワイパーとウィンドガラスとの接触部に送風するため、霜（或いは雪）のガラスに対する付着力を弱めることができ、除去作業をより一層容易に行うことができる。
【図面の簡単な説明】
【図１】本発明の一実施の形態に係る車両用ワイパー装置を示す正面図。
【図２】車両用ワイパー装置の駆動制御系を示すブロック図。
【図３】ワイパーが広角度で往復移動する状態を示す図。
【図４】ワイパーがフロントガラス表面の第１のエリアａ内において鋭角度で往復移動する状態を示す図。
【図５】ワイパーがフロントガラス表面の第２のエリアｂ内において鋭角度で往復移動する状態を示す図。
【図６】ワイパーがフロントガラス表面の第３のエリアｃ内において鋭角度で往復移動する状態を示す図。
【図７】ワイパーがフロントガラス表面の第４のエリアｄ内において鋭角度で往復移動する状態を示す図。
【符号の説明】
１…フロントガラス（ウィンドガラス）
２…ワイパー装置
３，４…ワイパー
８…吹出口
１０…切換スイッチ
１１…制御装置（制御手段）
１２…駆動モータ（駆動手段）
１３…温風装置
ａ〜ｄ…第１乃至第４のエリア
Ｈ１，Ｈ２…第１の移動幅
ｈ…第２の移動幅
【図１】
2004017843.tif 000003
【図２】
2004017843.tif 000004
【図３】
2004017843.tif 000005
【図４】
2004017843.tif 000006
【図５】
2004017843.tif 000007
【図６】
2004017843.tif 000008
【図７】
2004017843.tif 000009